(57)【要約】【課題】締結対象物の背面に係止片を適切に係止でき、高い締結力を発揮できる片側締結ボルトの提供。【解決手段】締結対象物の背面に係止可能な係止片３０と、係止片３０の側面における外形輪郭の内側に設けられた回転軸４０と、係止片３０を軸線方向に沿って収容可能な第１の長孔１１、及び、回転軸４０を軸線方向に沿って移動可能に支持する第２の長孔１２が形成されたボルト本体１０と、を有する、という構成を採用する。【選択図】図１
2018159424.tif 000002
【特許請求の範囲】
【請求項１】
締結対象物の背面に係止可能な係止片と、
前記係止片の側面における外形輪郭の内側に設けられた回転軸と、
前記係止片を軸線方向に沿って収容可能な第１の長孔、及び、前記回転軸を軸線方向に沿って移動可能に支持する第２の長孔が形成されたボルト本体と、を有する、ことを特徴とする片側締結ボルト。
【請求項２】
前記回転軸の中心は、前記係止片の側面における短手方向において、前記係止片の長さを二等分する短手方向中心線上に設けられている、ことを特徴とする請求項１に記載の片側締結ボルト。
【請求項３】
前記回転軸の中心は、前記係止片の側面における長手方向において、前記係止片の長さを二等分する長手方向中心線上から離隔した位置に設けられている、ことを特徴とする請求項１または２に記載の片側締結ボルト。
【請求項４】
前記係止片の側面における長手方向が前記ボルト本体の軸線方向と交差した状態で、前記係止片が、前記ボルト本体の軸線方向において、前記第１の長孔の端部に接触するとき、
前記回転軸は、前記ボルト本体の軸線方向において、前記第２の長孔の端部に非接触である、ことを特徴とする請求項１〜３のいずれか一項に記載の片側締結ボルト。
【発明の詳細な説明】
【技術分野】
【０００１】
本発明は、片側締結ボルトに関するものである。
【背景技術】
【０００２】
従来から、内部や裏側に手が届かないような部材に他の部材を締結する場合に、片側締結ボルトを使用することがある。このような片側締結ボルトとして、下記特許文献１には、一端におねじ部を有し、他端にその軸線方向に沿って長孔を形成したボルト本体と、このボルト本体の軸線方向にその長辺方向を一致させた場合に前記長孔内に収容される係止片とを有しており、この係止片の長辺の縁部には、長孔の幅方向に対して両外側に突出された１対の回転用突起が形成されており、これら回転用突起が形成された長辺に対して反対側の長辺縁部には、前記回転用突起から長辺方向に所定の間隔を隔てて、長孔の幅方向に対して両外側に突出された１対の脱落防止用突起が形成されているブラインドボルトが開示されている（特許文献１の図１５参照）。
【先行技術文献】
【特許文献】
【０００３】
【特許文献１】特許第３５３２５５９号公報
【発明の概要】
【発明が解決しようとする課題】
【０００４】
上記従来技術は、ボルト本体が挿入される締結対象物の孔径が大きくなると、係止片が締結対象物の背面に適切に係止されないという問題があった。すなわち、上記従来技術は、係止片の長辺の縁部に楔を打ち込んで回転用突起を形成し、これをボルト本体の長孔の開口縁部に引っ掛けて係止片を回転させるため、係止片が長孔に落ち込んで斜めになり易く、例えば、係止片の長辺の下側の角部が締結対象物の孔部に引っ掛かることがあった。このように、係止片が締結対象物の背面に適切に係止されないと、ナットの締め付けによる締結力を十分に発揮できない。
【０００５】
本発明は、上記問題点に鑑みてなされたものであり、締結対象物の背面に係止片を適切に係止でき、高い締結力を発揮できる片側締結ボルトの提供を目的とする。
【課題を解決するための手段】
【０００６】
上記の課題を解決するために、本発明は、締結対象物の背面に係止可能な係止片と、前記係止片の側面における外形輪郭の内側に設けられた回転軸と、前記係止片を軸線方向に沿って収容可能な第１の長孔、及び、前記回転軸を軸線方向に沿って移動可能に支持する第２の長孔が形成されたボルト本体と、を有する、片側締結ボルトを採用する。
【０００７】
また、本発明においては、前記回転軸の中心は、前記係止片の側面における短手方向において、前記係止片の長さを二等分する短手方向中心線上に設けられている、という構成を採用する。
【０００８】
また、本発明においては、前記回転軸の中心は、前記係止片の側面における長手方向において、前記係止片の長さを二等分する長手方向中心線上から離隔した位置に設けられている、という構成を採用する。
【０００９】
また、本発明においては、前記係止片の側面における長手方向が前記ボルト本体の軸線方向と交差した状態で、前記係止片が、前記ボルト本体の軸線方向において、前記第１の長孔の端部に接触するとき、前記回転軸は、前記ボルト本体の軸線方向において、前記第２の長孔の端部に非接触である、という構成を採用する。
【発明の効果】
【００１０】
本発明によれば、係止片の側面における外径輪郭の内側に回転軸が設けられ、当該回転軸が、係止片を収容する第１の長孔の内側面に連通する第２の長孔によって、ボルト本体の軸線方向に沿って移動可能に支持されている。このように、回転軸は、第２の長孔に沿ってボルト本体の軸線方向に移動可能ではあるものの、当該軸線方向と交差する方向においては殆ど移動しないため、係止片が第１の長孔に落ち込むことはない。また、係止片がボルト本体の軸線方向に移動可能になり、係止片が第１の長孔の端部に接触することでナットの締め付けによる締結力を受けるため、係止片に局所荷重が掛からず、係止片の破損を防止して高い締結力が得られる。
したがって、本発明では、締結対象物の背面に係止片を適切に係止でき、高い締結力を発揮できる。
【図面の簡単な説明】
【００１１】
【図１】本発明の実施形態における片側締結ボルトを示す外観斜視図である。
【図２】本発明の実施形態における片側締結ボルトが締結対象物を締結している状態を示す断面図である。
【図３】本発明の実施形態における片側締結ボルトを示す側面図である。
【図４】本発明の実施形態における片側締結ボルトを示す平面図である。
【図５】本発明の実施形態における係止片を示す側面図である。
【図６】本発明の実施形態における片側締結ボルトが（ａ）締結対象物の孔部に挿し込まれた状態を示す断面図、（ｂ）ナットの締め付けによる締結力を発揮している状態を示す断面図である。
【発明を実施するための形態】
【００１２】
以下、本発明の実施形態について図面を参照して説明する。
【００１３】
図１は、本発明の実施形態における片側締結ボルト１を示す外観斜視図である。図２は、本発明の実施形態における片側締結ボルト１が締結対象物１００を締結している状態を示す断面図である。
片側締結ボルト１は、図１に示すように、ボルト本体１０と、ナット２０と、係止片３０と、回転軸４０と、を有する。
【００１４】
片側締結ボルト１は、図２に示すように、締結対象物１００である第１の部材１００Ａ及び第２の部材１００Ｂを、締結対象物１００の正面１０１側（片側）から締結するものである。この締結対象物１００には、正面１０１から背面１０２にかけて孔部１０３が形成されており、この孔部１０３にボルト本体１０が挿入される。
【００１５】
ボルト本体１０には、図１に示すように、一方の端部１０ａの端面に、すりわり１０ａ１（マイナス溝）が形成されている。また、ボルト本体１０には、他方の端部１０ｂに、後述する第１の長孔１１及び第２の長孔１２が形成されている。
ナット２０は、一方の端部１０ａからボルト本体１０に螺合されて、図２に示すように、締結対象物１００の正面１０１と対向する。
【００１６】
すりわり１０ａ１は、片側締結ボルト１を図示しない把持装置で把持するために利用する。具体的には、すりわり１０ａ１のマイナス溝に対してマイナス形状の把持装置を挿入して片側締結ボルト１を把持する。本実施形態ではマイナス形状となっているが、把持具を挿入して把持することが出来る形状であればこれに限られず、例えばプラス形状や丸形状でも構わない。
【００１７】
係止片３０は、締結対象物１００の背面１０２に係止して、ナット２０の締め付けによる締結力を受ける。図２に示す係止片３０は、締結対象物１００の背面１０２に適切に係止した状態であり、係止片３０は、締結対象物１００の背面１０２において、孔部１０３を挟んだ上下の位置にそれぞれ接触している。
回転軸４０は、係止片３０を回転可能に支持している。回転軸４０は、円柱状に形成され、係止片３０を貫通した状態で係止片３０に固定されている。
【００１８】
次に、図３〜図５を参照して、各構成要素について詳しく説明する。
図３は、本発明の実施形態における片側締結ボルト１を示す側面図である。図４は、本発明の実施形態における片側締結ボルト１を示す平面図である。図５は、本発明の実施形態における係止片３０を示す側面図である。
なお、図３及び図４に示す符号Ａは、ボルト本体１０の中心軸線を示す。
【００１９】
図４に示すように、ボルト本体１０の他方の端部１０ｂには、前述した第１の長孔１１が形成されている。第１の長孔１１は、ボルト本体１０の軸線方向（符号Ａに沿う方向）に延在している。第１の長孔１１の軸線方向における一方の端部１１ａと他方の端部１１ｂは、図４に示す平面視で円弧状に形成されており、軸線方向に延びる第１の長孔１１の一対の内側面の両端を接続している。この第１の長孔１１は、係止片３０を軸線方向に沿って収容可能な大きさを有する。
【００２０】
また、ボルト本体１０の他方の端部１０ｂには、前述した第２の長孔１２が形成されている。第２の長孔１２は、図３に示すように、ボルト本体１０の軸線方向に延在している。第２の長孔１２の軸線方向における一方の端部１２ａと他方の端部１２ｂは、図３に示す平面視で円弧状に形成されており、軸線方向に延びる第２の長孔１２の一対の内側面の両端を接続している。この第２の長孔１２は、回転軸４０を軸線方向に沿って移動可能に支持している。
【００２１】
第２の長孔１２は、図４に示すように、第１の長孔１１の内側面に連通している。すなわち、第２の長孔１２は、ボルト本体１０を径方向に貫通する第１の長孔１１に対して、十字にクロスするようにボルト本体１０を径方向に貫通している。第１の長孔１１の軸線方向における長さＬ１（一方の端部１１ａから他方の端部１１ｂまでの長さ）は、第２の長孔１２の軸線方向における長さＬ２（一方の端部１２ａから他方の端部１２ｂまでの長さ）よりも長くなっている。
【００２２】
係止片３０は、図５に示すように、側面視で略長方形の部材の一部を切り欠いたものであり、具体的には、その長方形の一つの角部が斜めに切り欠かれた傾斜面３１を有する。傾斜面３１は、締結対象物１００の背面１０２に係止（対向）する係止片３０の対向面を正面３０ａとしたときに、係止片３０の背面３０ｂと天面３０ｄとの角部に形成されている。なお、係止片３０の正面３０ａと底面３０ｃとの角部は、円弧状に形成されている。
【００２３】
回転軸４０は、図５に示すように、係止片３０の側面３０ｅにおける外径輪郭の内側に設けられている。この係止片３０の側面３０ｅにおける外径輪郭とは、係止片３０の正面３０ａ，底面３０ｃ、背面３０ｂ，天面３０ｄ、及び傾斜面３１によって形成されている輪郭のことを言う。具体的に、回転軸４０の中心Ｏは、係止片３０の側面３０ｅにおける短手方向において、係止片３０の長さを二等分する短手方向中心線Ｃ１上に設けられている。
【００２４】
また、回転軸４０の中心Ｏは、係止片３０の側面３０ｅにおける長手方向において、係止片３０の長さを二等分する長手方向中心線Ｃ２上から離隔した位置に設けられている。回転軸４０の中心Ｏは、係止片３０の側面３０ｅを長手方向中心線Ｃ２によって二つの領域に分けたときに、傾斜面３１が存在する領域側（天面３０ｄ側）に位置している。なお、傾斜面３１は、係止片３０の側面３０ｅを短手方向中心線Ｃ１によって二つの領域に分けたときに、背面３０ｂが存在する領域側に位置している。
【００２５】
また、図４に示すボルト本体１０の軸線方向において、第１の長孔１１の他方の端部１１ｂから第２の長孔１２の他方の端部１２ｂまでの長さＬ３は、図５に示す係止片３０の短手方向において、係止片３０の背面３０ｂから回転軸４０の周面までの長さＬ４よりも短くなっている。さらに、図４に示す第１の長孔１１の軸線方向における長さＬ１は、図５に示す係止片３０の長手方向における長さＬ５（係止片３０の天面３０ｄから底面３０ｃまでの長さ）よりも長くなっている。
【００２６】
続いて、図６を参照して、上記構成の片側締結ボルト１による締結作業について説明する。
図６は、本発明の実施形態における片側締結ボルト１が（ａ）締結対象物１００の孔部１０３に挿し込まれた状態を示す断面図、（ｂ）ナット２０の締め付けによる締結力を発揮している状態を示す断面図である。
【００２７】
片側締結ボルト１による締結作業を行う場合、先ず、図６（ａ）に示すように、第１の長孔１１に係止片３０を軸線方向に沿って収容し（図６（ａ）において二点鎖線で示す）、ボルト本体１０の他方の端部１０ｂを、締結対象物１００の孔部１０３に挿し込む。ボルト本体１０の他方の端部１０ｂが、孔部１０３から締結対象物１００の背面１０２側に突き出ると、係止片３０が回転軸４０を中心に回転し、第１の長孔１１の上下の開口から突出する（図６（ａ）において実線で示す）。
【００２８】
回転軸４０は、図５に示すように、係止片３０の側面３０ｅにおける外形輪郭の内側に設けられている。また、回転軸４０の中心Ｏは、係止片３０の側面３０ｅにおける短手方向において、係止片３０の長さを二等分する短手方向中心線Ｃ１上に設けられている。そして、係止片３０には、その側面３０ｅを短手方向中心線Ｃ１によって二つの領域に分けたときの背面３０ｂ側に、傾斜面３１が存在している。したがって、係止片３０の重心は、回転軸４０の中心Ｏからずれて、短手方向における当該二つの領域のうち正面３０ａ側に存在しており、これによるモーメントによって、係止片３０が回転する。
【００２９】
さらに、回転軸４０の中心Ｏは、係止片３０の側面３０ｅにおける長手方向において、係止片３０の長さを二等分する長手方向中心線Ｃ２上から離隔した位置に設けられている。具体的に、回転軸４０の中心Ｏは、係止片３０の側面３０ｅを長手方向中心線Ｃ２によって二つの領域に分けたときに、傾斜面３１が存在する領域側（天面３０ｄ側）にずれている。したがって、係止片３０の重心は、長手方向における当該二つの領域のうち底面３０ｃ側に存在しており、これによるモーメントによって、係止片３０が回転する。したがって、係止片３０は、常に底面３０ｃ側が下になるように回転する。
【００３０】
次に、図６（ｂ）に示すように、ナット２０をボルト本体１０の他方の端部１０ｂに向かって螺進させると、反対にボルト本体１０は締結対象物１００の正面１０１から離れる方向（引き抜き方向）に移動する。ボルト本体１０が当該引き抜き方向に移動すると、ボルト本体１０の他方の端部１０ｂに支持された係止片３０の正面３０ａが、締結対象物１００の背面１０２に接触する。さらにナット２０を螺進させると、係止片３０は回転軸４０を介して第２の長孔１２に沿って軸線方向に案内され、その背面３０ｂ側が第１の長孔１１の他方の端部１１ｂに接触する。
【００３１】
このように、係止片３０の側面３０ｅにおける長手方向（図６に示す短手方向中心線Ｃ１に沿う方向）がボルト本体１０の軸線方向と交差した状態で、係止片３０が、ボルト本体１０の軸線方向において、第１の長孔１１の端部１１ｂに接触するとき、回転軸４０は、ボルト本体１０の軸線方向において、第２の長孔１２の端部１２ｂに非接触である。これは、図４に示す長さＬ３が、図５に示す長さＬ４よりも短くなっているためであり、これにより、ナット２０の締め付けによる締結力が回転軸４０に局所的に掛からないようにすることができる。
【００３２】
このように、本実施形態によれば、係止片３０の側面３０ｅにおける外径輪郭の内側に回転軸４０が設けられ、当該回転軸４０が、係止片３０を収容する第１の長孔１１の内側面に連通する第２の長孔１２によって、ボルト本体１０の軸線方向に沿って移動可能に支持されている。回転軸４０は、第２の長孔１２に沿ってボルト本体１０の軸線方向に移動可能ではあるものの、当該軸線方向と交差する方向においては殆ど移動しない。したがって、係止片３０は、第１の長孔１１に落ち込むことがなく、図６（ｂ）に示すように、締結対象物１００の背面１０２に適切に係止することができる。また、係止片３０がボルト本体１０の軸線方向に移動可能になり、係止片３０が第１の長孔１１の他方の端部１１ｂに接触することで、係止片３０の背面３０ｂでナット２０の締め付けによる締結力を受けることができ、係止片３０に局所荷重が掛からず、係止片３０の破損を防止して、高い締結力が得られる。
【００３３】
したがって、上述の本実施形態によれば、締結対象物１００の背面１０２に係止可能な係止片３０と、係止片３０の側面３０ｅにおける外形輪郭の内側に設けられた回転軸４０と、係止片３０を軸線方向に沿って収容可能な第１の長孔１１、及び、回転軸４０を軸線方向に沿って移動可能に支持する第２の長孔１２が形成されたボルト本体１０と、を有する、という構成を採用することによって、締結対象物１００の背面１０２に係止片３０を適切に係止でき、高い締結力を発揮できる片側締結ボルト１が得られる。
【００３４】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００３５】
例えば、上記実施形態では、係止片３０に傾斜面３１を設けていたが、上述したように、回転軸４０の中心Ｏが、係止片３０の側面３０ｅにおける長手方向において、係止片３０の長さを二等分する長手方向中心線Ｃ２上から離隔した位置に設けられていれば、上述したようなモーメントが作用するため、必ずしも係止片３０に傾斜面３１を設ける必要はない。
【００３６】
また、例えば、上記実施形態では、係止片３０の背面３０ｂは、第１の長孔１１の他方の端部１１ｂ（図４参照）と広い面積で接触するように、平面視で曲面状に形成してもよい。また、係止片３０の背面３０ｂが平面状で、第１の長孔１１の他方の端部１１ｂも同じように平面状にしてもよい。
【符号の説明】
【００３７】
１  片側締結ボルト
１０  ボルト本体
１１  第１の長孔
１１ａ  端部
１１ｂ  端部
１２  第２の長孔
１２ａ  端部
１２ｂ  端部
３０  係止片
３０ｅ  側面
４０  回転軸
１００  締結対象物
１０１  正面
１０２  背面
Ａ  軸線
Ｃ１  短手方向中心線
Ｃ２  長手方向中心線
【図１】
2018159424.tif 000003
【図２】
2018159424.tif 000004
【図３】
2018159424.tif 000005
【図４】
2018159424.tif 000006
【図５】
2018159424.tif 000007
【図６】
2018159424.tif 000008